(57)【要約】      （修正有）【課題】良好な防風性を有する情報表示パネル及びそれを用いた交通掲示板を提供する。【解決手段】交通掲示板は、情報表示パネル２、及び情報表示パネル２を支持するための支持装置を含む。情報表示パネル２は、フレーム２１と、フレーム２１に取り付けられた表示画面２２とを含み、表示画面２２は複数の画素部２２１を含み、各画素部２２１は、少なくとも一つのＬＥＤライト２２１１を含み、各画素部２２１は、情報を表示するための表示アレイを形成し、対応する画素部２２１のＬＥＤライト２２１１の発光を制御することにより情報を表示し、表示画面２２は複数の透かし彫り構造２０を有し、各透かし彫り構造２０は、画素部２２１の間の隙間に形成される。【選択図】図１
0003220356.tif 000002
【実用新案登録請求の範囲】
【請求項１】
フレームと前記フレームに取り付けられた表示画面を含む情報表示パネルであって、前記表示画面は複数の画素部を含み、各前記画素部は、少なくとも一つのＬＥＤライトを含み、各前記画素部は、情報を表示するための表示アレイを形成し、対応する前記画素部のＬＥＤライトの発光を制御することにより情報を表示し、前記表示画面は複数の透かし彫り構造を有し、各前記透かし彫り構造は、前記画素部の間の隙間に形成される、ことを特徴とする情報表示パネル。
【請求項２】
前記表示画面は、相互に平行に離隔して配置された複数のテープライトを含み、各前記テープライトの間の隙間には、前記透かし彫り構造が形成され、各前記テープライトの長手方向に沿って少なくとも一列の前記画素部が配置される、  
ことを特徴とする請求項１に記載の情報表示パネル。
【請求項３】
前記表示画面は本体を含み、各前記画素部は、前記本体上にアレイ状に配置され、前記透かし彫り構造は、前記本体に形成された貫通孔である、ことを特徴とする請求項１に記載の情報表示パネル。
【請求項４】
各前記画素部は、発光色が異なる複数のＬＥＤライトを含む、ことを特徴とする請求項１〜３のいずれか一項に記載の情報表示パネル。
【請求項５】
前記画素部は、赤色光ＬＥＤライト、緑色光ＬＥＤライト及び青色光ＬＥＤライトを含む、ことを特徴とする請求項４に記載の情報表示パネル。
【請求項６】
交通掲示板であって、請求項１〜５のいずれか一項に記載の情報表示パネル及び前記情報表示パネルを支持するための支持装置を含む、ことを特徴とする交通掲示板。
【請求項７】
太陽光発電ユニットをさらに含み、前記太陽光発電ユニットは、前記表示画面の各ＬＥＤライトに電力を供給するために使用される、ことを特徴とする請求項６に記載の交通掲示板。
【請求項８】
前記情報表示パネルと前記支持装置は、前記支持装置に対して前記情報表示パネルの高度を調整できるように伸縮ロッドにより接続され、前記情報表示パネルは、前記支持装置に対して前記情報表示パネルが回転するように、前記伸縮ロッドの一端に回転可能に接続されている、ことを特徴とする請求項６又は７に記載の交通掲示板。
【請求項９】
前記支持装置は、底板、第１の縦支持部、第２の縦支持部、第３の縦支持部及び第４の縦支持部を含み、各前記縦支持部は、それぞれ前記底板の四角に配置され、前記第１の縦支持部と前記第２の縦支持部との間には水平取り付け部が設けられ、前記伸縮ロッドの下端が前記水平取り付け部に取り付けられ、前記伸縮ロッドの上端が前記表示画面に回転可能に接続される、ことを特徴とする請求項８に記載の交通掲示板。
【請求項１０】
前記第１の縦支持部及び前記第２の縦支持部の前方の下端には延伸ブラケットが設けられ、前記延伸ブラケットの高さは前記底板の高さより低く、複数の前記交通掲示板が前後に配置される場合、後の交通掲示板の延伸ブラケットは、前の交通掲示板の底板の下方に挿入するために使用され、前記延伸ブラケットには、第２の情報表示板が折り畳み可能に配置される、ことを特徴とする請求項９に記載の交通掲示板。
【考案の詳細な説明】
【技術分野】
【０００１】
本考案は道路交通の分野に関連し、特に、情報表示パネル及び交通掲示板に関する。
【背景技術】
【０００２】
都市交通と道路とは切り離せず、道路と道路交通掲示板も切り離せない。従来の情報表示パネルは、一般に金属板で構成され、表示される情報が単一であった。また、指示板は１つの金属板であるため、防風効果が乏しく、風が強いと吹き飛ばされたり破損したりすることもあった。
【考案の概要】
【考案が解決しようとする課題】
【０００３】
従来技術の欠点を克服するために、本考案の目的は、より優れた防風性を有する情報表示パネル及びその情報表示パネルが適用された交通掲示板を提供することである。
【課題を解決するための手段】
【０００４】
本考案の一態様によれば、以下の情報表示パネルが提供される。すなわち、本考案の情報表示パネルは、フレームと、フレームに取り付けられた表示画面を含み、表示画面は複数の画素部を含み、各画素部は、少なくとも一つのＬＥＤライトを含み、各画素部は、情報を表示するための表示アレイを形成し、対応する画素部のＬＥＤライトの発光を制御することにより情報を表示し、表示画面は複数の透かし彫り構造を有し、各透かし彫り構造は、画素部の間の隙間に形成される。
【０００５】
さらに、表示画面は、相互に平行に離隔して配置された複数のテープライトを含み、各テープライト間の隙間には、透かし彫り構造が形成され、各テープライトの長手方向に沿って少なくとも一列の画素部が配置される。
【０００６】
さらに、表示画面は本体を含み、各画素部は、本体上にアレイ状に配置され、透かし彫り構造は、本体に形成された貫通孔である。
【０００７】
さらに、各画素部は、発光色が異なる複数のＬＥＤライトを含む。
【０００８】
さらに、画素部は、赤色光ＬＥＤライト、緑色光ＬＥＤライト及び青色光ＬＥＤライトを含む。
【０００９】
本考案の別の態様によれば、以下の交通掲示板が提供される。すなわち、本考案の交通掲示板は、本考案の上記情報表示パネル、及び情報表示パネルを支持するための支持装置を含む。
【００１０】
本考案の交通掲示板は太陽光発電ユニットをさらに含み、太陽光発電ユニットは、表示画面の各ＬＥＤライトに電力を供給するために適用される。
【００１１】
さらに、情報表示パネルと支持装置は、支持装置に対する情報表示パネルの高度が調整できるように伸縮ロッドにより接続されており、情報表示パネルは、情報表示パネルが支持装置に対し回転できるように、伸縮ロッドの一端に回転可能に接続される。
【００１２】
さらに、支持装置は、底板、第１の縦支持部、第２の縦支持部、第３の縦支持部及び第４の縦支持部を含み、各縦支持部は、それぞれ底板の四角に配置され、第１の縦支持部と第２の縦支持部との間には水平取り付け部が設けられ、伸縮ロッドの下端が水平取り付け部に取り付けられ、伸縮ロッドの上端が表示画面に回転可能に接続される。
【００１３】
さらに、第１の縦支持部及び第２の縦支持部の前方の下端には延伸ブラケットが設けられ、延伸ブラケットの高さは底板の高さより低く、それにより、複数の交通掲示板が前後に配置される場合、後の交通掲示板の延伸ブラケットは、前の交通掲示板の底板の下方に挿入するために用いられ、延伸ブラケットには、第２の情報表示板が折り畳み可能に配置される。
【００１４】
本考案の有利な効果は以下の通りである。情報表示パネル及び交通掲示板は、良好な防風効果を有し、防風のための透かし彫り構造は表示画面の表示効果に影響を与えない。本考案は、ＬＥＤライトの発光を利用して情報を表示するため、表示効果が良好であり、要求に応じて情報を表示することができ、適用の範囲が広い。
【図面の簡単な説明】
【００１５】
【図１】本考案の情報表示パネルの第１の実施例を示す模式図である。
【図２】本考案の情報表示パネルの第２の実施例を示す模式図である。
【図３】本考案の情報表示パネルの第３の実施例を示す模式図である。
【図４】本考案の情報表示パネルの第４の実施例を示す模式図である。
【図５】本考案の情報表示パネルの第５の実施例を示す模式図である。
【図６】本考案の情報表示パネルの第６の実施例の一部を示す模式図である。
【図７】本考案の交通掲示板の第１の実施例を示す模式図である。
【図８Ａ】本考案の交通掲示板の第２の実施例の正面を示す模式図である。
【図８Ｂ】本考案の交通掲示板の第２の実施例の側面を示す模式図である。
【図９】本考案の交通掲示板の第３の実施例を示す模式図である。
【図１０】本考案の交通掲示板の第４の実施例を示す模式図であり、情報表示パネルの降下状態を示す。
【図１１】本考案の交通掲示板の第４の実施例の裏面を示す模式図であり、情報表示パネルの上昇状態を示す。
【図１２】本考案の交通掲示板の第４の実施例の正面を示す模式図であり、情報表示パネルの上昇状態を示す。
【図１３】本考案の交通掲示板の第４の実施例を示す模式図であり、情報表示パネルが裏面に回転された状態を示す。
【図１４】本考案の交通掲示板の第４の実施例を示す模式図であり、第２の情報表示板の展開状態を示す。
【図１５】本考案の交通掲示板の第４の実施例を示す模式図であり、複数の交通掲示板が順に配置された状態を示す。
【図１６】本考案の交通掲示板の第５の実施例を示す模式図である。
【考案を実施するための形態】
【００１６】
以下、具体的な実施形態を参照して、本考案についてさらに詳細に説明する。なお、互いに矛盾しない限り、以下に記載される各実施例同士又は各技術的特徴同士は、任意に組み合わせて新たな実施例を形成することができる。
【００１７】
本考案の説明では、位置用語について、「中心」、「横方向」、「縦方向」、「長さ」、「幅」、「厚さ」、「上」、「下」、「前」、「後」、「左」、「右」、「垂直」、「水平」、「頂」、「底」、「内」、「外」、「時計回り」、「反時計回り」などの用語が指示する方位や位置関係は、図面に示される方位や位置関係に基づくものであり、単に本考案を容易及び簡単に説明するためのものであり、示される装置又は部材が必ず特定の方位を有し特定の方位で構成及び動作することを指示又は示唆するものではなく、本考案の具体的な技術的範囲を規定するものではないことは明らかである。
【００１８】
本明細書及び実用新案登録請求の範囲における「第１」、「第２」などの用語は、類似のオブジェクトを区別するために使用され、必ずしも特定の順序又は前後の順序を記述するために使用されるものではない。そのように使用されるデータは、本明細書に記載されている本出願の実施例を可能にするために適切な場合に互換することができることを理解されたい。また、用語「含む」や「有する」及びそれらの任意の変形は、非排他的な包含を包含することを意図している。例えば、一連のステップ又はユニットを含むプロセス、方法、システム、製品又は装置は、明確に列挙されたステップ又はユニットに必ずしも限定されず、明確に列挙されていないもの、或いは、これらのプロセス、方法、製品又は装置に固有の他のステップ又はユニットを含むことができる
【００１９】
本考案は、情報表示パネル及びこの情報表示パネルを用いた交通掲示板を提供する。この情報表示パネルは、良好な耐風性を有する。
【００２０】
図１〜６に示されるように、本考案の情報表示パネル２は、フレーム２１と、フレーム２１に取り付けられた表示画面２２を含む。表示画面２２は複数の画素部２２１を含む。各画素部２２１は少なくとも１つのＬＥＤライト２２１１を含む。各画素部２２１は、情報を表示するための表示アレイを形成する。表示画面２２は複数の透かし彫り構造２０を有し、各透かし彫り構造２０は画素部２２１の間の隙間に形成される。
【００２１】
情報表示パネル２は、複数の透かし彫り構造２０により防風の機能を実現する。同時に、透かし彫り構造２０は、画素部２２１の間の隙間に形成されるため、画素部２２１及び表示アレイの表示効果に影響を及ぼさない。各透かし彫り構造２０の形状及びサイズは同じでもよいし、異なっていてもよい。透かし彫り構造２０の形状は長手形状、円形、十字形、三角形、多角形を含むが、それらに限定されない。また、各透かし彫り構造２０の間は、互いに連通してもよいし、互いに独立してもよい。
【００２２】
情報表示パネル２は、各画素部２２１の発光により情報を表示する。なお、本考案による画素部２２１が発光するとは、画素部２２１の少なくとも１つのＬＥＤライト２２１１が発光することを意味する。即ち、画素部２２１が複数のＬＥＤライト２２１１を含む場合、そのうちの１つのＬＥＤライト２２１１が発光する限り、画素部２２１は発光する。
【００２３】
表示アレイの各画素部２２１のＬＥＤライト２２１１が発光するか否かは、制御ユニットによって制御する。各画素部２２１は同時に発光してもよいし、一部が発光し他の部分が発光しない構成としてもよい。画素部２２１が複数のＬＥＤライト２２１１を含む場合、この画素部２２１の各ＬＥＤライト２２１１は同時に発光してもよいし、一部が発光し他の部分が発光しない構成としてもよい。制御ユニットが複数のＬＥＤライト２２１１を制御する方法及び原理は従来技術を用いることができ、本考案では詳細に説明しない。
【００２４】
幾つかの実施例、例えば、図１、２、３、６に示されるように、表示アレイは、特定の交通指示情報として予め配置されておらず、対応するパターンを表示する必要がある場合、そのパターンに対応する各画素部２２１の発光を制御ユニットによって制御する。表示アレイは、必要に応じて異なる情報を表示することができ、情報表示パネル２の適用範囲は広い。
【００２５】
図１、２、６に示される各実施例では、表示画面２２は、相互に平行に離隔して配置された複数のテープライト２２２を含み、各テープライト２２２の間の隙間には透かし彫り構造２０が形成される。各テープライト２２２の長手方向に沿って、少なくとも１列の画素部２２１が設けられ、それにより、各テープライト２２２の複数の列の画素部２２１は表示アレイを形成する。各テープライト２２２の両端はそれぞれフレーム２１に取り付けられる。
【００２６】
図２に示される実施例では、フレーム２１に対する各テープライト２２２の取り付け角度が異なるという点で図１に示される実施例とは異なる。
【００２７】
図６に示される実施例では、各画素部２２１は３つのＬＥＤライト２２１１を含む。３つのＬＥＤライト２２１１の発光色が異なるので、各画素部２２１は異なる色の光を発することに適している。好ましくは、画素部２２１の３つのＬＥＤライト２２１１の発光色はそれぞれ赤色、緑色及び青色であり、異なる色のＬＥＤ２２１１ライトの発光を制御することによって、異なる色の混合光を得ることができる。
【００２８】
図３に示される実施例では、表示画面２２は本体２２３を含む。実線で描かれた円は画素部２２１を表し、破線で描かれた円は透かし彫り構造２０を表す。各画素部２２１は、本体２２３にアレイ状に配置される。透かし彫り構造２０は、本体２２３に形成された貫通孔であり、且つ各透かし彫り構造２０は、各画素部２２１の間の隙間に形成される。
【００２９】
幾つかの実施例では、図４に示されるように、表示画面２２は本体２２３を含む。実線で描かれた円は画素部２２１を表し、破線で描かれた円は透かし彫り構造２０を表す。本体２２３上の各画素部２２１のアレイは交通指示情報である。交通指示情報を表示する必要がある場合、各画素部２２１はいずれも発光する。表示アレイの形状が、図４に示される形状に限定されないことは、明らかである。透かし彫り構造２０は、本体２２３に形成された貫通孔であり、且つ各透かし彫り構造２０は、各画素部２２１の間の隙間に形成される。
【００３０】
幾つかの別の実施例では、図５に示されるように、表示画面２２は本体２２３を含む。実線で描かれた円は画素部２２１を表し、破線で描かれた円は透かし彫り構造２０を表す。本体２２３上の各画素部２２１のアレイは複数の交通指示情報である。ある指示情報を表示する必要がある場合、その指示情報に対応する画素部２２１を発光させる。図５では、異なる画素部２２１の組み合わせにより、右向きの矢印と左向きの矢印の両方を表示することができる。表示アレイの形状は、図５に示される形状に限定されないことは、明らかである。透かし彫り構造２０は、本体２２３に形成される貫通孔であり、且つ各透かし彫り構造２０は、各画素部２２１の間の隙間に形成される。
【００３１】
なお、以上の各実施例の情報表示パネル２は、内部電源により電力供給されてもよいし、外部の電源により電力供給されてもよい。情報表示パネル２がそれ自身の電源によって電力供給される場合、情報表示パネル２は、バッテリ、太陽光発電バッテリを含むがこれらに限定されず、その他電源ユニットをさらに含むことができることは明らかである。電源ユニットは、情報表示パネルのフレーム２１に取り付けられてもよいし、フレーム２１とは独立して設けられてもよい。本考案では、情報表示パネル２の電力供給方法は限定されない。
【００３２】
図７〜１６に示されるように、本考案の交通掲示板は、情報表示パネル２及び支持装置１を含む。支持装置１は、情報表示パネル２を地面、道路ガードレール、又は立設ポールに支持するために使用される。情報表示パネル２は良好な防風性を有するため、交通掲示板を所定の位置に良好な状態で維持することができる。支持装置１の構造は、図面に記載された構造に限定されない。従来技術における支持作用を実現できる様々な構造は、いずれも本考案の技術的範囲内に含まれる。
【００３３】
図７に示される実施例では、支持装置１の一端は道路ガードレールに固定され、情報表示パネル２は支持装置１に取り付けられる。
【００３４】
図８Ａ及び８Ｂに示される実施例では、支持装置１は折り畳み可能であり、支持装置１を展開した場合、地面の上に安定して支持することができる。情報表示パネル２は、支持装置１の一側面に取り付けられる。
【００３５】
図９に示される実施例では、支持装置１の一端は道路立設ポールに固定され、情報表示パネル２は支持装置１に取り付けられる。
【００３６】
図１０〜１５に示される実施例では、交通掲示板は、情報表示パネル２及び支持装置１を含む。情報表示パネル２と支持装置１は、支持装置１に対して情報表示パネル２の高度が調整できるように、伸縮ロッド３により接続される。図１１〜１４における情報表示パネル２は上昇状態であり、図１０における情報表示パネル２は降下状態である。情報表示パネル２は、支持装置１に対して情報表示パネル２が回転できるように、伸縮ロッド３の一端に回転可能に接続される。図１１、１２、１４における情報表示パネル２は前向きの状態であり、図１３における情報表示パネル２は後ろ向きの状態である。
【００３７】
支持装置１は、底板１１、第１の縦支持部１２、第２の縦支持部１３、第３の縦支持部１４及び第４の縦支部１５を含み、各縦支持部１２〜１５はそれぞれ底板１１の四角に配置される。隣接する第１の縦支持部１２と第２の縦支持部１３との間には水平取り付け部１６が設けられる。伸縮ロッド３の下端は、水平取り付け部１６に取り付けられ、伸縮ロッド３の上端は、情報表示パネル２に回転可能に接続される。第３の縦支持部１４及び第４の縦支持部１５の上端にはそれぞれ、作業者の押し引きを容易にするために、ハンドルが設けられる。
【００３８】
第１の縦支持部１２及び第２の縦支持部１３の前方の下端には延伸ブラケット１７が設けられる。延伸ブラケット１７の高さは、底板１１の高さより低い。それにより、図１５に示されるように、複数の交通掲示板が前後に配置される場合、後の交通掲示板の延伸ブラケット１７は、前の交通掲示板の底板１１の下方に挿入させるために適している。
【００３９】
延伸ブラケット１７には、第２の情報表示板４が折り畳み可能に配置される。第２の情報表示板４が折り畳まれた状態の場合、図１０に示されるように、延伸ブラケット１７の平面に密着する。第２の情報表示板４が展開された状態では、図１４に示されるように、交通指示情報を示すために使用することができる。第２の情報表示板４によって表示される情報は、方向を指示する矢印や前方道路の状況を示すパターンを含むが、それらに限定されない。
【００４０】
支持装置１は、支持装置１を容易に移動させることができるように、四角に配置されたユニバーサルホイール１８をさらに含むことができる。４つのユニバーサルホイール１８はそれぞれ第３の縦支持部１４の下端、第４の縦支持部１５の下端及び延伸ブラケット１７の前端の両側に配置される。
【００４１】
交通掲示板は、支持装置１に設けられた太陽光発電ユニット５をさらに含むことができる。太陽光発電ユニット５は、情報表示パネル２に電力を供給するために使用される。
【００４２】
情報表示パネル２の幅は、支持装置１の幅以上であることが好ましい。これにより、複数の交通掲示板が並列に配置される場合、各情報表示パネル２が、さらに大きな表示画面に継ぎ合わせることに適する。
【００４３】
図１６に示される実施例では、交通掲示板は支持装置１、情報表示パネル２及び太陽光発電ユニット５を含む。支持装置１は、地面の上に安定して支持することに適している。情報表示パネル２は、支持装置１に取り付けられ、太陽光発電ユニット５は、情報表示パネル２に取り付けられる。太陽光発電ユニット５は、情報表示パネル２に電力を供給するために使用される。
【００４４】
上記実施形態は、本考案の好適な実施形態に過ぎず、本考案の技術的範囲を規定するものではなく、本考案に基づき当業者によってなされた任意の非実質的な変更及び置換は、本考案の技術的範囲に属する。
【符号の説明】
【００４５】
１  支持装置
１１    底板
１２    第１の縦支持部
１３    第２の縦支持部
１４    第３の縦支持部
１５    第４の縦支持部
１６    水平取り付け部
１７    延伸ブラケット
１８    ユニバーサルホイール
２  情報表示パネル
２１    フレーム
２２    表示画面
２２１  画素部
２２１１    ＬＥＤライト
２２２  テープライト
２２３  本体
２０    透かし彫り構造
３  伸縮ロッド
４  第２の情報表示板
５  太陽光発電ユニット
【図１】
0003220356.tif 000003
【図２】
0003220356.tif 000004
【図３】
0003220356.tif 000005
【図４】
0003220356.tif 000006
【図５】
0003220356.tif 000007
【図６】
0003220356.tif 000008
【図７】
0003220356.tif 000009
【図８Ａ】
0003220356.tif 000010
【図８Ｂ】
0003220356.tif 000011
【図９】
0003220356.tif 000012
【図１０】
0003220356.tif 000013
【図１１】
0003220356.tif 000014
【図１２】
0003220356.tif 000015
【図１３】
0003220356.tif 000016
【図１４】
0003220356.tif 000017
【図１５】
0003220356.tif 000018
【図１６】
0003220356.tif 000019